(57)【要約】      （修正有）【課題】羽根車をモータから容易に取り外すことができる衣服内冷却用送風機、及び衣服内冷却用送風機を備えた送風機付衣服を提供する。【解決手段】衣服本体内に外気を送り込むための衣服内冷却用送風機１において、羽根車３を回転させるためのモータ２と羽根車との連結を、モータの回転軸に設けられた雄ネジ部２２に、係止部材５の雌ネジ部を螺合させて行う。【選択図】図１
0003228173.tif 000002
【実用新案登録請求の範囲】
【請求項１】
衣服本体に取り付けられて、前記衣服本体内に外気を送り込むための衣服内冷却用送風機であって、
モータと、
前記モータの駆動力によって回転する羽根車と、
前記モータ及び前記羽根車の周囲を囲うガードと、
を具備し、
更に、前記モータの回転軸の先端に設けられた雄ネジ部に螺合し得る雌ネジ部が設けられた係止部材を具備してなり、
前記羽根車の回転中心に設けられた挿通孔を通じて前記雄ネジ部と前記雌ネジ部を螺合させることによって、前記モータの回転軸に前記羽根車を固定し得る仕組みとなされたことを特徴とする衣服内冷却用送風機。
【請求項２】
請求項１に記載の衣服冷却用送風機が衣服本体に取り付けられたことを特徴とする送風機付衣服。
【考案の詳細な説明】
【技術分野】
【０００１】
本考案は、衣服本体に取り付けられて、前記衣服本体内に外気を送り込むための衣服内冷却用送風機、及び前記衣服内冷却用送風機を備えた送風機付衣服に関する。
【背景技術】
【０００２】
最近、作業服等の衣服（以下、「衣服本体」と称する。）内に外気を供給することによって、前記衣服本体内を冷却する送風機付衣服（冷却衣服）が実用化されている（例えば、下記特許文献１参照。）。
【先行技術文献】
【特許文献】
【０００３】
【特許文献１】特開２０１９‐２１４９４８号公報
【考案の概要】
【考案が解決しようとする課題】
【０００４】
この種の送風機付衣服は、衣服本体の適宜箇所に開けられた穴に送風機を装着し、前記送風機を介して衣服本体内に外気を送り込む仕組みとなされている。そして、前記送風機としては、複数枚の羽根を有する羽根車（ファン）をモータ駆動によって回転させるものが一般的であり、取り扱い上の安全性のために前記羽根車（及びモータ）の周囲がガードにて囲まれた構造となされている。
【０００５】
そして、前記送風機付衣服は、前記羽根車の回転によって発生させた空気の流れを、前記ガードを通じて衣服本体内に供給するものであることから、外気中に含まれる埃を前記ガード内に貯めやすいものであった。そのため、前記送風機付衣服を一定期間使用した後には、前記送風機における前記ガード内の誇りを取り除くメンテナンス作業が必要となる。
【０００６】
この点につき、前記特許文献１に開示された送風機（衣服内冷却用送風機）では、このメンテナンス作業を簡便なものにすべく、雄ネジ部を用いて羽根車をモータの回転軸に固定する仕組みを提案している。即ち、この雄ネジ部を用いた固定手段によれば、羽根車をモータから容易に取り外すことができるようになり、前記羽根車の羽根の裏側に付着した埃を取り除くことも可能になる。
【０００７】
本考案は前記技術的課題に鑑みて開発されたものであり、羽根車をモータから容易に取り外すことができる新規な衣服内冷却用送風機、及び前記衣服内冷却用送風機を備えた送風機付衣服を提供することを目的とする。
【課題を解決するための手段】
【０００８】
前記技術的課題を解決する本考案の衣服内冷却用送風機は、衣服本体に取り付けられて、前記衣服本体内に外気を送り込むための衣服内冷却用送風機であって、モータと、前記モータの駆動力によって回転する羽根車と、前記モータ及び前記羽根車の周囲を囲うガードと、を具備し、更に、前記モータの回転軸の先端に設けられた雄ネジ部に螺合し得る雌ネジ部が設けられた係止部材を具備してなり、前記羽根車の回転中心に設けられた挿通孔を通じて前記雄ネジ部と前記雌ネジ部とを螺合させることによって、前記モータの回転軸に前記羽根車を固定し得る仕組みとなされたことを特徴とする（以下、「本考案送風機」と称する。）。
【０００９】
前記技術的課題を解決する本考案の送風機付き衣服は、前記本考案送風機が衣服本体に取り付けられたことを特徴とする（以下、「本考案衣服」と称する。）。
【考案の効果】
【００１０】
本考案によれば、羽根車に付着した埃を取り除くメンテナンス作業が容易になる。
【図面の簡単な説明】
【００１１】
【図１】図１は、本考案送風機の一実施形態を示す正面図（ａ）と、Ａ‐Ａ断面図（ｂ）である。
【図２】図２（ａ）、（ｂ）は、雄ネジ部を独立して示す斜視図であり、図２（ｃ）は、前記本考案送風機における前記雌ネジ部が存する部分を拡大して示す断面図である。
【図３】図３（ａ）、（ｂ）は、羽根車を独立して示す斜視図である。
【図４】図４（ａ）、（ｂ）は、係止部材を独立して示す斜視図である。
【図５】図５は、前記本考案送風機におけるモータと羽根車の固定状態を示す分解斜視図である。
【図６】図６は、前記本考案送風機を備えた本考案衣服を示す正面図である。
【考案を実施するための形態】
【００１２】
以下、本考案の実施形態を、図面を参照しながら説明するが、本考案はこれらの実施形態に限定されるものではない。
【００１３】
＜本考案送風機１＞
図１に、本考案送風機１の一実施形態を示す。前記本考案送風機１は、「モータ（２）」と、前記モータ２の駆動力によって回転する「羽根車（３）」と、前記モータ２及び前記羽根車３の周囲を囲う「ガード（４）」と、を具備し、更に、「係止部材（５）」と、を具備する。
【００１４】
‐モータ２‐
前記モータ２は、ローレンツ力（磁場と電流の相互作用）によって発生する力を利用して回転運動を出力する機械要素を意味する。本実施形態においては、前記モータ２として、ケーブルＬを介して供給される電力により回転軸２１を回転させる仕組みのもの（市販の模型用電動モータ）を用いた。なお、本考案では、前記モータ２の回転軸２１の先端に雄ネジ部２２が設けられる。図２に示すように、本実施形態における雄ネジ部２２は、雄ネジ本体２２１と、前記雄ネジ本体の２２１の根元を中心位置にて支持する土台２２２と、を具備する（図２（ａ）参照）。前記土台２２２における前記雄ネジ本体２２１を支持する位置には貫通孔２２０が設けられている（図２（ｂ）参照）。そして、前記貫通孔２２０に前記モータ２の回転軸２１を挿入固定すれば、前記回転軸２１の軸心と前記雄ネジ本体２２１の軸心とが一致した状態で、前記モータ２の回転軸２１の先端に雄ネジ部２２が設けられる仕組みとなされている（図２（ｃ）参照）。
【００１５】
‐羽根車３‐
前記羽根車３は、前記モータ２の駆動力（前記モータ２から出力された回転運動）を受けて回転することによって、一定方向に向かう空気の流れを発生させるための機械要素である。図３に示すように、本実施形態においては、前記羽根車３として、前記羽根車３の回転中心をなすボス３１と、前記ボス３１を中心として放射状に配された五枚の烏帽子型の羽根３２と、を具備してなる七枚羽根ロータを用いた。なお、本考案では、前記羽根車３の回転中心に挿通孔３０が設けられる。本実施形態においては、前記ボス３１の中央に穴を設けることによって前記挿通孔３０を設けている。
【００１６】
‐ガード４‐
前記ガード４は、前記モータ２及び前記羽根車３の周囲を囲うことによって、前記本考案送風機１の使用中の安全性を確保するものである。又、前記ガード４は、前記羽根車３の回転によって発生させた空気の流れを通過させ得る構造をなす必要があることから、少なくとも前記羽根車３の羽根３２の表裏面に臨む部分には、メッシュ状、網状、或いは格子状などの開き目が設けられる。本実施形態においては、前記ガード４につき、ドーム状のガード本体４１、及び、前記ガード本体４１の開口部分を覆うガード蓋４２の二部材とし、前記ガード本体４１と前記ガード蓋４２とを螺合させることによって、前記モータ２及び前記羽根車３の周囲を囲う空間が形成される構造とした。なお、前記モータ２は、前記ガード本体４１の中央に固定されている。
【００１７】
‐係止部材５‐
前記係止部材５は、前記モータ２の回転軸２１に前記羽根車３を固定する役割を担う。図４に示すように、本実施形態においては前記係止部材５として、前記雄ネジ部２２に螺合し得る雌ネジ部５１を有する化粧ネジを用いた。
【００１８】
図５に示すように、前記構成を有する本考案送風機１を構築するにあたっては、まず、前記モータ２の回転軸２１に前記雄ネジ部２２を取り付け、前記雄ネジ部２２の土台２２２を前記羽根車３の回転中心に設けられた挿通孔３０に嵌合させる。この状態で前記係止部材５の前記雌ネジ部５１を前記雄ネジ部２２（雄ネジ本体２２１）に螺合すれば、前記モータ２と前記羽根車３とが連結する。最後に、前記ガード本体４１に前記ガード蓋４２を螺合させれば、前記モータ２及び前記羽根車３の周囲を囲う空間が形成され、もって前記本考案送風機１が構築される。
【００１９】
＜本考案衣服１０＞
図６に、前記本考案送風機１を備えた本考案衣服１０を示す。前記本考案衣服１０は、前記本考案送風機１が衣服本体１０１に取り付けられたものである。前記本考案衣服１０は、前記本考案送風機１によって前記衣服本体１０１の外部から内部に向かう空気の流れを発生させることによって、外気を前記衣服本体１０１内に送り込み、もって、前記衣服本体１０１内を冷却するものである。本実施形態においては、前記衣服本体１０１の複数個所（二箇所）に穴をあけ、各穴に前記本考案送風機１を取り付けることによって前記本考案衣服１０を構築した。なお、各本考案送風機１を駆動させるための電力については、バッテリーＢに蓄電された電力がケーブルＬを通じて供給される仕組みとなされている。
【００２０】
即ち、前記構成を有する前記本考案衣服１０は、外気を前記衣服本体１０１内に供給するものであることから、前記本考案衣服１０を使用すればするほど、外気中に含まれる埃が前記本考案送風機１の前記ガード４内に蓄積していく。そのため、前記本考案衣服１０を一定期間使用した後には、前記本考案送風機１における前記ガード４内の埃を取り除くメンテナンス作業が必要となる。
【００２１】
この点につき、前記本考案送風機１は、前記モータ２と前記羽根車３との連結が、前記モータ２の回転軸２１に設けられた雄ネジ部２２に、前記係止部材５の前記雌ネジ部５１を螺合させることによってなされているため、前記係止部材５を取り外せば前記羽根車３を単体で取り出すことができる。これより、前記羽根車３の羽根３２の表裏面に付着した埃や、前記モータ２と前記羽根車３の間にある隙間に蓄積した埃を容易に取り除くことができる。
【００２２】
なお、本考案は、その精神又は主要な特徴から逸脱することなく、他のいろいろな形態で実施することができる。そのため、上述の実施形態はあらゆる点で単なる例示に過ぎず、限定的に解釈してはならない。本考案の範囲は登録実用新案請求の範囲によって示すものであって、明細書本文には何ら拘束されない。更に、登録実用新案請求の範囲の均等範囲に属する変形や変更は、すべて本考案の範囲内のものである。
【産業上の利用可能性】
【００２３】
本考案は、外気を衣服本体内に供給することによって、前記衣服本体内を冷却する手段として好適に利用される。
【符号の説明】
【００２４】
１  本考案送風機（衣服内冷却用送風機）
２  モータ
２１  回転軸
２２  雄ネジ部
２２０  貫通孔
２２１  雄ネジ本体
２２２  土台
３  羽根車
３０  挿通孔
３１  ボス
３２  羽根
４  ガード
４１  ガード本体
４２  ガード蓋
５  係止部材
５１  雌ネジ部
１０  本考案衣服（送風機付衣服）
１０１  衣服本体
【図１】
0003228173.tif 000003
【図２】
0003228173.tif 000004
【図３】
0003228173.tif 000005
【図４】
0003228173.tif 000006
【図５】
0003228173.tif 000007
【図６】
0003228173.tif 000008